(57)【要約】【課題】  単一に設けられたタブ紙を給紙するトレイにセットされたタブ紙束の状態確認やタブ紙束の再セットを行う作業を無くし、指定された綴じ方向合わせてタブを付与した通常紙タブ紙混在文書を印刷する画像形成装置を提供する。【解決手段】  画像形成装置２は、タブ紙管理情報９に記録して管理するタブ紙給紙トレイ２４にセットしたタブ紙２５の給紙形態（指定されたタブ紙束のセット方向にて画像転写部１８に搬送されるタブ紙のタブの向き、タブ位置のシフト方向）と、印刷ジョブ管理情報１６に記録される、ユーザが指定した綴じ方向にて、転写するページイメージの回転角度、ページイメージの画像形成順序、ページイメージを転写した用紙の排紙方法を決定して画像形成出力設定情報１４に記録し、通常紙タブ紙混在文書の印刷制御を行う。【選択図】図１
2007290208.tif 000002
【特許請求の範囲】
【請求項１】
片端にタブが設けられたタブ紙をセットする第１のトレイと、タブを有さない通常紙をセットする第２のトレイとを有し、前記第１のトレイにセットされたタブ紙と前記第２のトレイにセットされた通常紙とによって複数ページの画像を形成し、該画像が形成された前記タブ紙と前記通常紙とが混在した用紙束を出力する画像形成装置において、
前記用紙束の綴じ方向を指示する指示手段と、
前記指示手段により指示された綴じ方向に対応して前記タブ紙および前記通常紙に形成する画像の回転角度、画像形成排出の順序、排出面を切り換える制御手段と
を具備することを特徴とする画像形成装置。
【請求項２】
前記制御手段は、
前記指示手段により指示された綴じ方向が左綴じであり、前記第１のトレイに左綴じ用のタブ紙が１８０度回転してセットされている場合、前記タブ紙および前記通常紙に形成する画像の回転角度を１８０度とし、画像形成排出の順序を第１頁を先頭とする順順序とし、排出面を裏面排出に切り換える
ことを特徴とする請求項１記載の画像形成装置。
【請求項３】
前記制御手段は、
前記指示手段により指示された綴じ方向が右綴じであり、前記第１のトレイに左綴じ用のタブ紙が１８０度回転してセットされている場合、前記タブ紙および前記通常紙に形成する画像の回転角度を０度とし、画像形成排出の順序を最終頁を先頭とする逆順序とし、排出面を表面排出に切り換える
ことを特徴とする請求項１記載の画像形成装置。
【請求項４】
前記制御手段は、
前記指示手段により指示された綴じ方向が左綴じであり、前記第１のトレイに右綴じ用のタブ紙が回転せずにセットされている場合、前記タブ紙および前記通常紙に形成する画像の回転角度を１８０度とし、画像形成排出の順序を最終頁を先頭とする逆順序とし、排出面を表面排出に切り換える
ことを特徴とする請求項１記載の画像形成装置。
【請求項５】
前記制御手段は、
前記第１のトレイにセットされたタブ紙の開始位置と前記用紙束のタブ紙の開始位置とが異なる場合、前記画像の形成に先立って、前記第１のトレイにセットされたタブ紙の開始位置と前記用紙束のタブ紙の開始位置とが等しくなるまで、前記第１のトレイにセットされたタブ紙に画像を形成することなく排出する
ことを特徴とする請求項１乃至４のいずれかに記載の画像形成装置。
【発明の詳細な説明】
【技術分野】
【０００１】
本発明は、画像形成装置に関し、特に、タブ紙と通常紙が混在した用紙束の文書（以後、通常紙タブ紙混在文書と称す）を片面もしくは両面印刷する画像形成装置において、印刷ジョブで指定されるタブを付ける向き（以後、綴じ方向と称す）と、給紙トレイに対して指定された時のタブの向きでセットして画像転写部に給紙して画像が転写された時の画像の天地方向にて決定される綴じ方向と、給紙トレイにセットされたタブ紙束の種類にて特定されるタブ紙の給紙形態に基づいて、用紙に転写するページイメージの回転角度の設定、ページイメージの印刷順序、ページイメージを転写した用紙の排紙方法（フェイスアップ、フェイスダウン）の設定、ページイメージの形成出力順序と印刷ジョブで指定されたタブ紙を挿入する原稿画像のページ番号に基づいて、画像転写部に搬送するタブ紙のタブ位置を調整する技術に関する。
【背景技術】
【０００２】
従来、通常紙タブ紙混在文書の印刷を行う画像形成装置に関する技術として、特許文献１に記載された「画像形成方法およびその装置」が開示されている。
【０００３】
この特許文献１の技術は、印刷する文書が縦書き、横書き（綴じ方向が、右綴じあるいは左綴じ）のいずれにかかわらず、タブ紙を挿入した文書を印刷することができるタブインサート機能を有し、綴じ方向にあわせて用紙に転写する画像の天地方向を１８０度回転させ、所望する綴じ方向の向きにあわせてタブを付けることを可能にしている。
【特許文献１】特開２００３−１９８８３５号公報。
【発明の開示】
【発明が解決しようとする課題】
【０００４】
しかし、上記特許文献１の技術のタブインサート機能は、タブ位置の出力順序が、綴じ方向（右綴じ、左綴じ）によって異なるため、給紙されるタブ紙のタブ位置が下から上にシフトするようにタブ紙をセットし直す必要があるといった問題があり、給紙トレイにセットしたタブ紙束のタブ位置の確認や、タブの並び順の切り換え操作が綴じ方向を変更する度に発生し、タブ紙束のセット誤りによる印刷ミス、あるいは、タブ紙束の入れ替え操作による作業効率の低下を招いていた。
【０００５】
よって、本発明は、タブ紙束をセットする給紙トレイが単一に設けられて通常紙タブ紙混在文書を印刷する画像形成装置において、ユーザが指定する綴じ方向にて特定されるタブを付ける向きに変更が生じた場合でも、給紙トレイにセットされたタブ紙束の状態（タブ紙束の種類（右綴じ用、左綴じ用）、タブの向き、タブ位置のシフト方向）を確認する操作、あるいは、タブ紙束を指定された綴じ方向にあわせてセットし直す作業を無くして、通常紙タブ紙混在文書を印刷することができる画像形成装置を提供することを目的とする。
【課題を解決するための手段】
【０００６】
上記目的を達成するために、請求項１の発明は、片端にタブが設けられたタブ紙をセットする第１のトレイと、タブを有さない通常紙をセットする第２のトレイとを有し、第１のトレイにセットされたタブ紙と第２のトレイにセットされた通常紙とに複数ページの画像を形成し、該画像が形成されたタブ紙と通常紙とが混在した用紙束を出力する画像形成装置において、用紙束の綴じ方向を指示する指示手段と、指示手段により指示された綴じ方向に対応してタブ紙および通常紙に形成する画像の回転角度、画像形成排出の順序、排出面を切り換える制御手段とを具備することを特徴とする。
【０００７】
また、請求項２の発明は、請求項１の発明において、制御手段は、指示手段により指示された綴じ方向が左綴じであり、第１のトレイに左綴じ用のタブ紙が１８０度回転してセットされている場合、タブ紙および通常紙に形成する画像の回転角度を１８０度とし、画像形成排出の順序を、第１頁を先頭とする順順序とし、排出面を裏面排出に切り換えることを特徴とする。
【０００８】
また、請求項３の発明は、請求項１の発明において、制御手段は、指示手段により指示された綴じ方向が右綴じであり、第１のトレイに左綴じ用のタブ紙が１８０度回転してセットされている場合、タブ紙および通常紙に形成する画像の回転角度を０度とし、画像形成排出の順序を、最終頁を先頭とする逆順序とし、排出面を表面排出に切り換えることを特徴とする。
【０００９】
また、請求項４の発明は、請求項１の発明において、制御手段は、指示手段により指示された綴じ方向が左綴じであり、第１のトレイに右綴じ用のタブ紙が回転せずにセットされている場合、タブ紙および通常紙に形成する画像の回転角度を１８０度とし、画像形成排出の順序を、最終頁を先頭とする逆順序とし、排出面を表面排出に切り換えることを特徴とする。
【００１０】
また、請求項５の発明は、請求項１から請求項４のいずれかの発明において、制御手段は、第１のトレイにセットされたタブ紙の開始位置と用紙束のタブ紙の開始位置とが異なる場合、画像の形成に先立って、第１のトレイにセットされたタブ紙の開始位置と用紙束のタブ紙の開始位置とが等しくなるまで、第１のトレイにセットされたタブ紙に画像を形成することなく排出することを特徴とする。
【発明の効果】
【００１１】
本発明の画像形成装置によれば、単一の給紙トレイからタブ紙を給紙して通常紙タブ紙混在文書を印刷する画像形成装置において、印刷される通常紙タブ紙混在文書に対してユーザが指定する綴じ方向の変更による給紙トレイにセットされたタブ紙束の入れ替え作業、給紙トレイにセットされたタブ紙束の状態を確認する作業を実施する手間を無くして、通常紙タブ紙混在文書の印刷作業を簡便化することができる。
【発明を実施するための最良の形態】
【００１２】
本発明における画像形成装置の実施例について添付図面を参照しながら説明する。
【００１３】
図１は、本発明の画像形成装置の概略構成を示したブロック図である。
【００１４】
図１において、画像形成装置２は、ホストインターフェース５を介して印刷ホスト１から受信した印刷ジョブに基づいて文書を印刷する装置であり、特に、単一に設けたタブ紙給紙トレイ２４から給紙されるタブ紙２５、通常紙給紙トレイ２２から給紙される通常紙２３の給紙切り替えを、原稿画像のページ番号にてユーザが指定したタブ紙２５の挿入位置、および、指定された綴じ方向によるタブの向きに基づいて、通常紙タブ紙混在文書の片面印刷あるいは両面印刷を行う。  
画像形成装置２は、主制御部３、記憶部２６、画像処理部４、画像形成部２０、タブ紙給紙トレイ２４、通常紙給紙トレイ２２、排紙トレイ１３、空送りタブ紙排紙トレイ１２を具備する。
【００１５】
主制御部３は、画像形成装置２全体を制御して通常紙タブ紙混在文書を印刷するために、操作パネル６におけるユーザの各種入力操作を検出して解析する入力情報検出制御、操作パネル６に対する各種操作画面の表示制御、印刷ホストから受信した印刷ジョブを解析して通常紙タブ紙混在文書に対して指定された綴じ方向、片面、両面の種類、原稿画像の印刷ページ数、印刷部数、タブ紙に転写する原稿画像のページ番号を取得する印刷ジョブ解析制御、タブ紙給紙トレイ２４から画像転写部１８に搬送されるタブ紙２５に転写される画像の天地方向にて特定されるタブ紙の綴じ方向およびタブ位置のシフト方向と、印刷ジョブで指定された綴じ方向との組み合せに基づいて、ページイメージを用紙に転写する画像形成順序（以後、印刷順序と称す）を設定する印刷順序設定制御、画像転写部１８にて転写するページイメージの画像を１８０度回転した画像に変換する画像処理制御、通常紙給紙トレイ２２、タブ紙給紙トレイ２４の選択切り替えを行う給紙トレイ選択切り替え制御、画像を転写した用紙をフェイスアップ、フェイスダウンのいずれにて排出するかの排紙方法の切り替えを行う排紙制御、両面印刷における用紙の反転給紙を制御する用紙搬送制御、タブ紙２５にページイメージを転写する原稿画像のページ番号と、印刷順序設定制御にて設定された印刷順序とによって通常紙タブ紙混在文書の印刷を行う場合、最初に挿入して印刷されるタブ紙２５のタブ位置にタブ紙給紙トレイ２４から給紙するタブ紙２５のタブ位置が一致するまで、タブ紙２５に画像を転写せずに排出して空送りを実施するタブ位置の調整制御を行う。
【００１６】
画像形成部２０は、ページイメージを用紙（通常紙２３あるいはタブ紙２５）に転写する画像転写部１８（例えば、レーザープリンタの場合、トナー像を用紙に転写する画像転写部）、通常紙２３、タブ紙２５の給紙切り換えを行う給紙トレイ選択切り換え部１９、両面印刷を行う場合は、第１の画像の転写面に画像を転写した後、第２の画像転写面に転写される画像の天地方向の上端、下端が転写する用紙にてそれぞれ同じ辺を指す向きで用紙を反転して折リ返し画像転写部１８に搬送して、第２の転写面に次のページイメージを転写する用紙搬送制御を行い、さらに、ページイメージの画像を転写した用紙を排出する際の排紙方法（フェイスアップ、フェイスダウン）の切り替えを行う用紙折り返し搬送部１１、空送りしたタブ紙を排出するトレイと、画像を転写した用紙を異なるトレイに排出する切り換えを行う排紙トレイ切り換え部２１を有する。
【００１７】
画像処理部４は、主制御部３による印刷ジョブの解析結果に基づいて、画像転写部１８に出力する原稿画像のページイメージを生成するとともに、画像形成出力情報１４に記録される回転角度の値に基づいて、生成したページイメージを回転した画像に変換する画像処理を行う。
【００１８】
タブ位置検知センサ２７は、画像形成装置２にて取り扱い可能な最大のバンク数のタブ紙２５がタブ紙給紙トレイ２４から給紙された場合にタブの位置が検知できるよう、タブ紙給紙トレイ２４から給紙された直後のタブ紙２５に対し、用紙搬送路の搬送方向と直交する仮想ライン上に等間隔で複数設置され、各センサにて搬送される用紙の通過時間を測定し、他のセンサの測定値とタブの幅に相当する分の異なる測定値を検知したセンサの監視位置を示す情報に基づいてタブの位置を特定するためのセンサである。
【００１９】
記憶部２６は、給紙トレイ管理情報８、タブ紙管理情報９、ページイメージバッファ１０、画像形成出力設定情報１４、印刷ジョブ解析情報１６を有し、給紙トレイ管理情報８は、図３に示すように、画像形成装置２に設けられた各給紙トレイの状態を、給紙トレイ毎に割り当てたトレイ識別情報に対応するトレイの状態として、給紙トレイにセットされた用紙の種類（通常紙２３、タブ紙２５の別）、用紙サイズを記録して管理するための情報である。
【００２０】
給紙トレイ管理情報８は、画像形成装置２に設けられた給紙トレイにセットされた用紙の種類とサイズを管理し、特に、給紙トレイ管理情報８にて管理される給紙トレイのうち、タブ紙がセットされた給紙トレイに対応する管理データには、給紙トレイに対して指定されたタブ紙束のセット方向にて画像転写部１８にタブ紙が搬送して画像が転写された場合、タブが付けられる方向を転写画像の天地方向を基準にして示す情報が記録して管理される。
【００２１】
記憶部２６において、タブ紙管理情報９は、図４に示すように、バンク数、タブ紙給紙形態、バンク番号を記憶して管理する。
【００２２】
バンク数は、給紙トレイにセットされるタブ紙束の一セットにて提供可能なタブ位置の種類を示す数を示し、操作パネル６に表示されるタブ紙束の設定画面よるユーザ入力によって取得される。
【００２３】
タブ紙給紙形態は、図２に示すように、画像形成装置２における用紙の給紙、搬送機構による制限により、タブ紙給紙トレイ２４に対して予め設定されているタブ紙束のセット方向と、指定されたセット方向にてセットされたタブ紙が画像転写部１８に搬送され、転写部１８にて転写されるページイメージの回転がない場合、タブ紙に転写された画像の天地方向にて決定されるタブ紙２５の綴じ方向と、タブ紙給紙トレイ２４にセットされたタブ紙束の種類（右綴じ用、左綴じ用）との組み合せによって決定される。  
図２（Ａ）は、タブ紙給紙トレイ２４に指定されているタブ紙束のセット方向のタブの向きにてセットされたタブ紙が画像転写部１８に搬送されて画像が転写された場合、転写される画像に回転がない場合の転写画像の天地方向に対してタブの向きが右綴じ可能な向きとなるタブ紙給紙トレイ２４に対し、指定されているタブ紙束のセット方向にて右綴じ用のタブ紙束がセットされた時の例を示す（以後、右綴じノーマルと称す）。
【００２４】
図２（Ｂ）は、タブ紙給紙トレイ２４に指定されているタブ紙束のセット方向のタブの向きにてセットされたタブ紙が画像転写部１８に搬送されて画像が転写された場合、転写される画像に回転がない場合の転写画像の天地方向に対してタブの向きが右綴じ可能な向きとなるタブ紙給紙トレイ２４に対し、指定されているタブ紙束のセット方向にて左綴じ用のタブ紙束がセットされた時の例を示す（以後、右綴じリバースと称す）。
【００２５】
図２（Ｃ）は、タブ紙給紙トレイ２４に指定されているタブ紙束のセット方向のタブの向きにてセットされたタブ紙が画像転写部１８に搬送されて画像が転写された場合、転写される画像に回転がない場合の転写画像の天地方向に対してタブの向きが左綴じ可能な向きとなるタブ紙給紙トレイ２４に対し、指定されているタブ紙束のセット方向にて左綴じ用のタブ紙束がセットされた時の例を示す（以後、左綴じノーマルと称す）。
【００２６】
図２（Ｄ）は、タブ紙給紙トレイ２４に指定されているタブ紙束のセット方向のタブの向きにてセットされたタブ紙が画像転写部１８に搬送されて画像が転写された場合、転写される画像に回転がない場合の転写画像の天地方向に対してタブの向きが右綴じ可能な向きでとなるタブ紙給紙トレイ２４に対し、指定されているタブ紙束のセット方向にて右綴じ用のタブ紙束がセットされた時の例を示す（以後、左綴じリバースと称す）。
【００２７】
再度、図１のタブ紙管理情報９において、バンク番号は、タブ紙給紙形態にて管理されるタブ位置のシフト方向に基づいて、次に給紙されるタブ紙のタブ位置を管理するための識別情報である。
【００２８】
タブ紙管理情報９に記録されたバンク番号と、タブ位置検知センサ２７にて検知されたタブ紙２５のタブ位置とを照合することにより、タブ紙管理情報９のタブ紙給紙形態にて表現されるタブ位置のシフト方向にてタブ紙２５が正しく搬送されているか否かを確認する。
【００２９】
また、画像形成装置２は、決定した原稿画像の印刷順序にて通常紙タブ紙混在文書を印刷する場合において、最初にタブ紙を挿入してページイメージを転写するタブ紙のタブ位置を印刷ジョブで指定されたタブ紙に転写する原稿画像のページ番号と、タブのバンク数、印刷順序に基づいて、最初に挿入するタブ紙のタブ位置を特定するとともに、特定したタブ位置が、タブ紙管理情報９にて管理される次に給紙されるタブ紙のタブ位置と一致するか否かを判断し、一致しない場合は、双方のタブ位置が一致するように、タブ紙の空送り制御を行う。
【００３０】
記憶部２６において、画像形成出力情報１４は、図５に示すように、通常紙タブ紙混在文書の印刷制御に関する制御情報を印刷ジョブ毎に記録して管理するための情報であり、ページイメージを用紙に転写する印刷順序を示す印刷順序、用紙に転写するページイメージに対して画像の回転処理を行う時の回転角度の値を示すページイメージの回転角度、印刷した用紙を排出する際の排紙方法を排紙方法が印刷ジョブ毎に記録して管理される。
【００３１】
印刷ジョブ解析情報１６は、図６の（Ａ）、図６の（Ｂ）に示すように、ホストインターフェース５を介して印刷ホスト１から受信した印刷ジョブを解析した解析結果が記録された情報であり、両面あるいは片面印刷の別、通常紙タブ紙混在文書が印刷された時の綴じ方向、印刷部数、原稿画像のページ数、タブ紙２５に印刷する原稿画像のページ番号を記録して管理する。
【００３２】
ページイメージバッファ１０は、画像処理部４にて生成したページイメージ、あるいは、ページイメージの転写設定として画像形成出力設定情報１４に記録された回転角度の値にてページイメージを回転した画像を、印刷ジョブによる印刷処理が完了するまでの間、一時的に記憶するための領域である。
【００３３】
次に、タブ紙給紙形態と、印刷ジョブにて指定された両面印刷、片面印刷の別、印刷ジョブにて指定される印刷された通常紙タブ紙混在文書に対する綴じ方向に基づいて、画像転写部１８に対して出力するページイメージの回転角度の設定、画像転写部１８にて用紙にページイメージを転写するページイメージの印刷順序、画像を転写した用紙を排出する場合の排紙方法の設定を行う例を、図７から図１２図に示してそれぞれ説明する。
【００３４】
先に、タブ紙給紙形態と、印刷ジョブで指定された綴じ方向の組み合せによる通常紙タブ紙混在文書の片面印刷の例を図７、図８、図９に示して説明する。
【００３５】
図７は、タブ紙給紙形態から取得した綴じ方向と、印刷ジョブで指定された綴じ方向が一致しない場合で、タブ位置のシフト方向がノーマルのときの例として、タブ紙給紙形態が左綴じノーマルで、印刷ジョブで指定された綴じ方向が右綴じで指定されている場合、ページイメージの印刷順序を原稿画像のページ番号の降順にて最終ページからの逆順にて印刷する印刷順序を設定し、ページイメージを１８０度回転した画像を用紙に転写する転写処理の設定を行い、印刷した用紙の排紙方法は、画像の転写面がフェイスアップにて排紙される排紙方法を設定し、設定した印刷順序にて最初にタブ紙を挿入して画像を印刷することが見込まれるタブ紙のタブ位置を特定し、特定したタブ位置と、給紙トレイから給紙されるタブ紙のタブ位置とが一致しない場合は、タブ紙の空送りを行って、タブ位置の調整を行う。
【００３６】
次に、図８は、タブ紙給紙形態から取得した綴じ方向と、印刷ジョブで指定された綴じ方向が一致しない場合で、タブ紙給紙形態のタブ位置のシフト方向がリバースの場合の例を示し、タブ紙給紙形態が左綴じリバースで、印刷ジョブで指定された綴じ方向が右綴じの場合、用紙に転写するページイメージの回転角度を１８０度回転した画像にて用紙に転写する転写設定を行い、ページイメージの印刷順序を原稿画像のページ番号の昇順にて先頭ページから順に転写する印刷順序を設定し、画像を転写した用紙の排紙方法は片面印刷による画像の転写面がフェイスダウンにて排紙される排紙方法の設定を選択する。
【００３７】
次に、図９は、タブ紙給紙形態から取得した綴じ方向と、印刷ジョブで指定された綴じ方向が一致する場合で、タブ紙給紙形態のタブ位置のシフト方向がリバースの場合の例を示し、タブ紙給紙形態が右綴じリバースで、印刷ジョブで指定された綴じ方向が右綴じの場合、用紙に転写するページイメージの回転角度を０度回転した画像にて用紙に転写する転写設定を行い、ページイメージの印刷順序を原稿画像のページ番号の降順にて最終ページからの逆順にて転写する印刷順序を設定し、画像を転写した用紙の排紙方法は片面印刷による画像の転写面がフェイスアップにて排紙される排紙方法の設定を選択する。
【００３８】
次に、タブ紙給紙形態と、印刷ジョブで指定された綴じ方向との組み合せによる通常紙タブ紙混在文書の両面印刷の例を図１０、図１１、図１２に示して説明する。
【００３９】
タブ紙給紙形態から取得した綴じ方向と、印刷ジョブにて指定された綴じ方向が一致しない場合で、タブ紙給紙形態のタブ位置のシフト方向がノーマルの場合は、例えば、図１０に示すように、タブ紙給紙形態が左綴じノーマル、印刷ジョブで指定された綴じ方向が右綴じの場合、用紙に転写するページイメージの回転角度を１８０度回転した画像にて用紙に転写する転写設定を行い、原稿画像のページ番号の降順にて最終ページからの逆順にてページイメージを転写する印刷順序を作成し、さらに、作成した印刷順序にて先頭から順に用紙への転写を行った場合に、両面印刷にて同一の用紙に転写が見込まれるページイメージの印刷順序を各用紙内にて相互に入れ替えた印刷順序を設定する。
【００４０】
設定した印刷順序において最初に挿入されるタブ紙のタブ位置を、タブ紙給紙トレイ２４にセットされたタブ紙束のバンク数、タブ紙への画像の転写が指示された原稿画像のページ番号と、設定した印刷順序に基づいて特定し、特定したタブ位置と、給紙されるタブ紙のタブ位置が一致しない場合は、双方のタブが一致するまでタブ紙２５の空送りを行い、両面印刷による第１の画像の転写面がフェイスアップにて排紙される排紙方法を選択する。
【００４１】
タブ紙給紙形態から取得した綴じ方向と、印刷ジョブで指定された綴じ方向が一致しない場合でタブ紙給紙形態から取得されるタブ位置のシフト方向がリバースの場合、例えば、図１１に示すように、タブ紙給紙形態が左綴じリバース、印刷ジョブにて指定された綴じ方向が右綴じの場合、用紙に転写するページイメージの回転角度を１８０度回転した画像にて用紙に転写する転写設定を行い、ページイメージの印刷順序が原稿画像のページ番号の昇順にて先頭ページから順に転写する印刷順序を設定し、両面印刷による第１の画像の転写面がフェイスダウンにて排紙される排紙方法を選択する。
【００４２】
タブ紙給紙形態にて取得される綴じ方向と、印刷ジョブで指定された綴じ方向が一致しない場合で、タブ紙給紙形態から特定されるタブ位置のシフト方向がリバースの場合は、例えば、図１２に示すように、タブ紙給紙形態が右綴じリバース、印刷ジョブで指定された綴じ方向が右綴じの場合、ページイメージの回転角度を０度にて用紙に転写するページイメージの転写設定を選択し、ページイメージの印刷順序が原稿画像のページ番号の降順となる最終ページからの逆順にて印刷する印刷順序を設定し、同一の用紙に対してページイメージの転写が見込まれるページイメージの印刷順を、各用紙内にて入れ替えを行った最終的な印刷順序を設定し、設定した印刷順序にてタブ紙を挿入して画像を印刷するタブ紙のタブ位置を特定し、特定したタブ紙のタブ位置と、給紙するタブ紙のタブ位置が一致しない場合は、タブ紙の空送りを行い、両面印刷による第１の画像の転写面がフェイスアップにて排紙される排紙方法を選択して設定する。
【００４３】
次に、通常紙タブ紙混在文書の片面印刷の動作を図１３のフローチャートに示して説明する。
【００４４】
画像形成装置２は、印刷ジョブで指定された綴じ方向を印刷ジョブ解析情報１６から読み出し（Ｓ１０１）、タブ紙管理情報９に記録されたタブ紙給紙形態を読み取って、給紙されるタブ紙２５の綴じ方向を取得し（Ｓ１０２）、さらには、タブ紙給紙形態から取得した綴じ方向におけるタブ位置のシフト方向を取得する（Ｓ１０３）。
【００４５】
印刷ジョブで指定された綴じ方向と、タブ紙給紙形態から取得した給紙されるタブ紙の綴じ方向が一致する場合（Ｓ１０４ＹＥＳ）、画像形成装置２は、画像転写部１８にて転写されるページイメージの回転角度を０度回転した画像にて用紙に転写する設定を画像形成出力設定情報１４に記録する（Ｓ１０５）。
【００４６】
ステップＳ１０３にて取得したタブ位置のシフト方向が、リバース、ノーマルのいずれであるかを判別する（Ｓ１０６）。
【００４７】
タブ位置のシフト方向がノーマルの場合（Ｓ１０６ノーマル）、画像形成装置２は、画像転写部１８による画像の転写面がフェイスダウンで排紙される排紙方法の設定を選択して画像形成出力設定情報１４に記録し（Ｓ１０７）、原稿画像のページ番号の昇順にて先頭ページから順にページイメージの転写を行う印刷順序を設定して画像形成出力設定情報１４に記録する（Ｓ１０８）。
【００４８】
再度、ステップＳ１０６の判別処理に戻り、印刷ジョブで指定された綴じ方向と、タブ紙給紙形態から読み取ったタブ紙の綴じ方向が一致し、なおかつ、給紙されるタブ紙のタブ位置のシフト方向がリバースの場合（Ｓ１０６リバース）、画像形成装置２は、画像転写部１８によるページイメージの転写面がフェイスアップで排紙される排紙方法の設定を選択して画像形成出力設定情報１４に記録し（Ｓ１１４）、画像転写部１８にて転写されるページイメージの印刷順序を原稿画像のページ番号の降順にて最終ページからの逆順序にて印刷する印刷順序を設定して画像形成出力設定情報１４に記録する（Ｓ１１５）。
【００４９】
再度、ステップＳ１０４の判定処理に戻り、印刷ジョブで指定された綴じ方向と、タブ紙給紙形態から取得した綴じ方向とが一致しない場合（Ｓ１０４ＮＯ）、画像形成装置２は、画像転写部１８にて転写されるページイメージの回転角度を１８０度回転した画像にて用紙に転写する設定を選択して画像形成出力設定情報１４に記録する（Ｓ１１２）。
【００５０】
次に、ステップＳ１０３の処理にてタブ紙給紙形態から読み取ったタブ位置のシフト方向が、ノーマル、リバースのいずれであるかを判別し（Ｓ１１３）、タブ位置のシフト方向がリバースの場合（Ｓ１１３リバース）、ページイメージの転写面がフェイスダウンにて排紙される排紙方法の設定を選択して画像形成出力設定情報１４に記録し（Ｓ１０７）、原稿画像のページ番号の昇順にて先頭ページから順にページイメージを用紙に転写する印刷順序を設定して画像形成出力設定情報１４に記録する（Ｓ１０８）。
【００５１】
再度、ステップＳ１１３の判定処理に戻り、タブ位置のシフト方向がノーマルの場合（Ｓ１１３でノーマル）、画像形成装置２は、画像の転写面がフェイスアップにて排紙される排紙方法の設定を選択して画像形成出力設定情報１４に記録し（Ｓ１１４）、原稿画像のページ番号の降順にて最終ページからの逆順にてページイメージの転写を行う印刷順序を設定して画像形成出力設定情報１４に記録する（Ｓ１１５）。
【００５２】
ステップＳ１０８、あるいは、ステップＳ１１５にて画像形成出力設定情報１４に記録した印刷順序と、タブ紙管理情報９にて管理されるタブ紙のバンク数、印刷ジョブ解析情報１６に記録されたタブ紙を挿入して画像を印刷する原稿画像のページ番号に基づいて算出される一部あたりのタブ紙の挿入枚数に基づいて、最初に挿入されるタブ紙のタブ位置を特定し、特定したタブ位置と、タブ紙管理情報９にて管理される給紙予定のタブ位置が一致するようにタブ紙の空送りを実施して先頭タブ位置の調整を行い（Ｓ１０９）、ステップＳ１０８あるいはステップＳ１１５にて画像形成出力設定情報１４に記録した印刷順序の設定、ステップＳ１０５、ステップＳ１１２にて画像形成出力設定情報１４に記録したページイメージの転写処理における回転角度の設定値、ステップＳ１０７あるいはステップＳ１１４にて画像形成出力設定情報１４に記録した排紙方法の設定に基づいて、通常紙タブ紙混在文書の片面印刷を一部毎に実施して（Ｓ１１０）、印刷部数が複数指定され、尚且つ指定された全ての部数の印刷処理が完了していない場合（Ｓ１１１ＹＥＳ）、ステップＳ１０９のタブ位置の調整処理、画像形成出力設定情報１４に基づくステップＳ１１０の片面印刷処理を一部づつ繰り返して処理する。
【００５３】
印刷部数で指定された全部数分の印刷が完了した場合は（Ｓ１１１ＮＯ）、通常紙タブ紙混在文書の片面印刷処理を終了する。
【００５４】
次に、通常紙タブ紙混在文書の両面印刷の動作を図１４のフローチャートに示して説明する。
【００５５】
画像形成装置２は、印刷ジョブで指定された綴じ方向を、印刷ジョブ解析情報１６から読み取って取得し（Ｓ２０１）、タブ紙管理情報９のタブ紙給紙形態を読み取って、給紙されるタブ紙の綴じ方向を取得し（Ｓ２０２）、さらには、取得したタブ紙の綴じ方向におけるタブ位置のシフト方向をタブ紙給紙形態から読み取る（Ｓ２０３）。
【００５６】
ステップＳ２０１にて取得した印刷ジョブで指定された綴じ方向と、ステップＳ２０２にて取得した給紙されるタブ紙の綴じ方向とを比較し（Ｓ２０４）、印刷ジョブで指定された綴じ方向と、給紙されるタブ紙の綴じ方向が一致する場合（Ｓ２０４ＹＥＳ）、画像形成装置２は、画像転写部１８にてページイメージを用紙に転写するページイメージの転写処理の設定に対して、ページイメージの回転角度を０度で処理する設定を画像形成出力設定情報１４に記録する（Ｓ２０５）。
【００５７】
画像形成装置２は、ステップＳ２０３にて読み取ったタブ位置のシフト方向がノーマル、リバースのいずれであるかを判断する（Ｓ２０６）。
【００５８】
タブ位置のシフト方向がノーマルの場合（Ｓ２０６でノーマル）、画像形成装置２は、両面印刷における第１の画像の転写面がフェイスダウンにて排紙される排紙方法の設定を選択して画像形成出力設定情報１４に記録し（Ｓ２０７）、画像転写部１８にて用紙に転写するページイメージの印刷順を、原稿画像のページ番号の昇順にて先頭ページから順に転写する印刷順序を設定して画像形成出力設定情報１４に記録する（Ｓ２０８）。
【００５９】
再度、ステップＳ２０６の判定処理に戻り、タブ紙給紙形態から取得したタブ位置のシフト方向がリバースの場合（Ｓ２０６でリバース）、画像形成装置２は、両面印刷における第１の画像の転写面がフェイスアップにて排紙される排紙方法の設定を選択して画像形成出力設定情報１４に記録し（Ｓ２０９）、原稿画像のページ番号の降順にて、最終ページからの逆順にて転写する印刷順序を作成し（Ｓ２１０）、さらに、ステップＳ２１０にて作成した印刷順序において同一の用紙に転写が見込まれるページイメージの印刷順序を各用紙内で相互に入れ替えた印刷順序を作成して画像形成出力設定情報１４に記録する（Ｓ２１１）。
【００６０】
再度、ステップＳ２０４の判定処理に戻り、印刷ジョブで指定された綴じ方向と、タブ紙給紙形態から取得した綴じ方向が一致しない場合（Ｓ２０４ＮＯ）、画像形成装置２は、ページイメージの転写処理の設定としてページイメージの回転角度を１８０度回転してから転写する設定を選択して画像形成出力設定情報１４に記録する（Ｓ２１２）。
【００６１】
次に、タブ紙給紙形態から読み取ったタブ位置のシフト方向の判別処理を行い（Ｓ２１３）、タブ位置のシフト方向がノーマルの場合（Ｓ２１３でノーマル）、ステップＳ２０９の排紙方法の設定処理、ステップＳ２１０およびステップＳ２１１の印刷順序の設定処理を行う。
【００６２】
一方、タブ紙給紙形態から取得したタブ位置のシフト方向がリバースの場合（Ｓ２１３リバース）、画像形成装置２は、ステップＳ２０７の排紙方法の選択設定処理、ステップＳ２０８の印刷順序の設定処理を行う。
【００６３】
画像形成装置２は、印刷ジョブで指定された綴じ方向と、タブ紙給紙形態との組み合わせによるページイメージの転写処理に対する回転角度、印刷順序、排紙方法の設定処理がが完了すると、画像形成出力設定情報１４に記録した印刷順序にて印刷処理を行った場合に、最初に挿入して原稿画像が印刷されるタブ紙のタブ位置を特定し、タブ紙管理情報９にて管理される給紙予定のタブ紙のタブ位置が一致しない場合は、タブ紙の空送りを実施してタブ位置の調整処理を行い（Ｓ２１４）、画像形成出力設定情報１４に記録したページイメージの回転を行う画像処理、画像形成出力設定情報１４に記録した印刷順序によるページイメージの転写処理を行い、画像形成出力設定情報１４に記録した排紙方法にて転写した用紙を排紙して通常紙タブ紙混在文書の両面印刷を一部毎に処理する（Ｓ２１５）。
【００６４】
印刷部数が複数指定されている場合で、なおかつ指定された全部数の印刷処理が完了していない場合（Ｓ２１６ＹＥＳ）、画像形成装置２は、上記ステップＳ２１４の処理による印刷処理に先立って行なわれるタブ位置の調整処理、上記ステップＳ２０５にて示した、画像形成出力設定情報１４に記録した、ページイメージの転写処理に対して設定された回転角度、印刷順序、排紙方法それぞれに基づいて一部毎の両面印刷処理を繰り返して処理し、指定された全ての部数の印刷処理が完了した場合は（Ｓ２１６ＮＯ）の両面印刷処理を終了する。
【産業上の利用可能性】
【００６５】
本発明の画像形成装置は、単一に設けられた給紙トレイからタブ紙を給紙して、ユーザが指定した綴じ方向に合わせたタブの向きで通常紙タブ紙混在文書を印刷する画像形成装置に利用可能である。
【図面の簡単な説明】
【００６６】
【図１】本発明の画像形成装置の概略構成を示すブロック図。
【図２】タブ紙を給紙する給紙トレイに指定されているタブ紙束のセット方向と、実際にセットされたタブ紙束の種類によって決定されるタブ紙給紙形態を説明する図。
【図３】給紙トレイ管理情報の例を示す図。
【図４】タブ紙管理情報の例を示す図。
【図５】画像形成出力設定情報の例を示す図。
【図６】印刷ジョブ解析情報の例を示す図。
【図７】通常紙タブ紙混在文書を片面印刷する第１の処理イメージを示す図。
【図８】通常紙タブ紙混在文書を片面印刷する第２の処理イメージを示す図。
【図９】通常紙タブ紙混在文書を片面印刷する第３の処理イメージを示す図。
【図１０】通常紙タブ紙混在文書を両面印刷する第１の処理イメージを示す図。
【図１１】通常紙タブ紙混在文書を両面印刷する第２の処理イメージを示す図。
【図１２】通常紙タブ紙混在文書を両面印刷する第３の処理イメージを示す図。
【図１３】通常紙タブ紙混在文書印刷処理における片面印刷の例を示すフローチャート。
【図１４】通常紙タブ紙混在文書印刷処理における両面印刷の例を示すフローチャート。
【符号の説明】
【００６７】
１    印刷ホスト
２    画像形成装置
３    主制御部
４    画像処理部
５    ホストインターフェース
６    操作パネル
８    給紙トレイ管理情報
９    タブ紙管理情報
１０    ページイメージバッファ
１１    用紙折り返し搬送部
１２    空送りタブ紙排紙トレイ
１３    排紙トレイ
１４    画像形成出力設定情報
１６    印刷ジョブ解析情報
１８    画像転写部
１９    給紙トレイ切り換え部
２０    画像形成部
２１    排紙トレイ切り替え部
２２    通常紙給紙トレイ
２３    通常紙
２４    タブ紙給紙トレイ
２５    タブ紙
２６    記憶部
２７    タブ位置検知センサ
【図１】
2007290208.tif 000003
【図２】
2007290208.tif 000004
【図３】
2007290208.tif 000005
【図４】
2007290208.tif 000006
【図５】
2007290208.tif 000007
【図６】
2007290208.tif 000008
【図７】
2007290208.tif 000009
【図８】
2007290208.tif 000010
【図９】
2007290208.tif 000011
【図１０】
2007290208.tif 000012
【図１１】
2007290208.tif 000013
【図１２】
2007290208.tif 000014
【図１３】
2007290208.tif 000015
【図１４】
2007290208.tif 000016